(57)【要約】      （修正有）【課題】  エレベータへの据え付けを容易にすることができるとともに、ガイドシューの摺動抵抗を低減してドアパネルのスムーズな開閉を実現することができるようにしたエレベータのドア装置を提供する。【解決手段】  出入口を開閉するドアパネル１の下方に配置されたシル３にはドアパネルの開閉方向に延びるシル溝４が設けられている。ドアパネル１の一方の面にはウェルドナット５を介してブラケット６が固定されている。ブラケット６にはネジ９を介してガイドシュー８が垂直方向に延びる軸線まわりに回転可能に取り付けられている。ガイドシューは、シル溝内に収容されるとともにシル溝の長手方向に摺動可能な摺動部１０及びこの摺動部を吊り下げ支持するガイドシュー本体１１を有している。【選択図】      図２
2006131314.tif 000002
【特許請求の範囲】
【請求項１】
出入口を開閉するドアパネルと、
前記ドアパネルの下方に配置されるとともに前記ドアパネルの開閉方向に延びるシル溝が設けられたシルと、
前記シル溝内に収容されるとともに前記シル溝の長手方向に摺動可能な摺動部及びこの摺動部を吊り下げ支持するガイドシュー本体を有するガイドシューと、
前記摺動部が前記シル溝の側面に対して接近及び離間することができるように前記ガイドシュー本体を前記ドアパネルに対して移動可能に取り付ける取付手段と、
を具備することを特徴とするエレベータのドア装置。
【請求項２】
前記取付手段は、
前記ドアパネルに固定された支持部材と、
前記ガイドシュー本体を前記支持部材に対して垂直方向に延びる軸線まわりに回転可能に締結する締結部材と、
を具備することを特徴とする請求項１記載のエレベータのドア装置。
【請求項３】
前記取付手段は、
前記シル溝の側面と直交する方向に延びるように前記ガイドシュー本体に形成された長穴と、
前記長穴を貫通するとともに前記長穴に対して長手方向に摺動可能に係合し、前記ガイドシュー本体を前記ドアパネルに対して締結する締結部材と、
を具備することを特徴とする請求項１記載のエレベータのドア装置。
【請求項４】
前記取付手段は、
前記ドアパネルの一方の面に立設され、外周部にネジ山が形成されるとともに前記ガイドシュー本体を前記シル溝の側面に接近及び離間する方向に移動可能に支持するスタッドと、
前記ガイドシュー本体を挟み込むように前記スタッドに螺着された一対のナットと、
を具備することを特徴とする請求項１記載のエレベータのドア装置。
【請求項５】
前記取付手段は、
前記ドアパネルの一方の面に立設され、外周部にネジ山が形成されるとともに前記ガイドシュー本体を前記シル溝の側面に接近及び離間する方向に移動可能に支持するスタッドと、
前記ガイドシュー本体を挟み込むように前記スタッドの外周部に遊嵌された一対のコイル状の圧縮バネと、
前記スタッドの先端に螺着され、前記圧縮バネよりも大径のナットと、
を具備することを特徴とする請求項１記載のエレベータのドア装置。
【請求項６】
前記摺動部が、前記ガイドシュー本体に対して垂直方向に延びる軸線まわりに回転可能に取り付けられたことを特徴とする請求項１乃至請求項５のいずれか一項記載のエレベータのドア装置。
【請求項７】
前記シル溝の側面に接するように前記摺動部に取り付けられ、前記ドアパネルの開閉に伴って回転するベアリングが設けられたことを特徴とする請求項１乃至請求項６のいずれか一項記載のエレベータのドア装置。
【請求項８】
前記摺動部は、前記シル溝の長手方向に延びる台座と、前記台座の両端に垂直方向に延びる軸線まわりに回転可能に取り付けられた一対のローラとから成り、前記各ローラの外周部に前記ベアリングが取り付けられたことを特徴とする請求項７記載のエレベータのドア装置。
【発明の詳細な説明】
【技術分野】
【０００１】
本発明は、エレベータのドア装置に関し、特にドアパネルを開閉方向に案内するガイドシューの部分の構造を改良したドア装置に関する。
【背景技術】
【０００２】
図１３は従来のエレベータのドア装置の要部側面図、図１４は図１３のＢ−Ｂ線断面図である。図１３において、１０１はドアパネルであり、紙面に直交する方向に移動することにより出入口を開閉する。
【０００３】
このドアパネル１０１の下方にはシル１０２が配置され、その上面にはドアパネル１０１の開閉方向に延びるシル溝１０３が設けられている。
【０００４】
ドアパネル１０１の一方の面には柱状のウェルドナット１０４が溶接固定され、その先端面にはガイドシュー１０５がネジ１０６により締結固定されている。
【０００５】
ガイドシュー１０５は、シル溝１０３に収容されるとともにシル溝１０３の長手方向に摺動可能な摺動部１０７及びこの摺動部１０７を吊り下げ支持するガイドシュー本体１０８を有している。
【発明の開示】
【発明が解決しようとする課題】
【０００６】
上記従来のドア装置においては、ガイドシュー１０５の位置がウェルドナット１０４によって拘束され、ドアパネル１０１に対する摺動部１０７の位置を調節することができない。そのため、エレベータに据え付ける際に、ドアパネル１０１の歪み等により、摺動部１０７をシル溝１０３内に挿入するのが困難な場合が有った。
【０００７】
また、摺動部１０７をシル溝１０３内に挿入できたとしても、摺動部１０７がシル溝１０３の側面１０３ａ（図１４参照）に強く押し付けられて、ドアパネル１０１の開閉の際に摺動抵抗が大きくなるという問題も有った。
【０００８】
本発明は上記問題点に鑑みてなされたものであり、その目的は、エレベータへの据え付けを容易にすることができるとともに、ガイドシューの摺動抵抗を低減してドアパネルのスムーズな開閉を実現することができるようにしたエレベータのドア装置を提供することにある。
【課題を解決するための手段】
【０００９】
上記目的を達成するために、本発明のドア装置は、
出入口を開閉するドアパネルと、
前記ドアパネルの下方に配置されるとともに前記ドアパネルの開閉方向に延びるシル溝が設けられたシルと、
前記シル溝内に収容されるとともに前記シル溝の長手方向に摺動可能な摺動部及びこの摺動部を吊り下げ支持するガイドシュー本体を有するガイドシューと、
前記摺動部が前記シル溝の側面に対して接近及び離間することができるように前記ガイドシュー本体を前記ドアパネルに対して移動可能に取り付ける取付手段と、
を具備することを特徴としている。
【発明の効果】
【００１０】
本発明のドア装置によれば、ドアパネルに対するガイドシューの摺動部の位置を適宜調節することで、エレベータへの据え付け時にガイドシューの摺動部をシル溝内に容易に挿入することができるとともに、ドアパネルの開閉時にガイドシューとシル溝の間に生じる摺動抵抗が低減するため、ドアパネルをスムーズに開閉することができる。
【発明を実施するための最良の形態】
【００１１】
以下、本発明の一実施形態を図面に基づいて説明する。図１は本発明の第１の実施形態のドア装置の斜視図、図２は図１のドア装置の要部側面図、図３は図１のＡ−Ａ線断面図、図４は図１のドア装置のガイドシューの正面図、図５は図１のドア装置の要部平面図、図６は第１の実施形態の作用の説明図である。
【００１２】
図１において、１はドアパネルであり、矢印方向に移動することにより出入口を開閉する。このドアパネル１の下方にはシル３が配置され、その上面にはドアパネル１の開閉方向に延びるシル溝４が設けられている。
【００１３】
ドアパネル１の一方の面には一対の角柱状のウェルドナット５が左右に間隔をおいて溶接固定されており、各ウェルドナット５の先端面にはブラケット６がネジ７により締結固定されている。
【００１４】
図２に示すように、ブラケット６は、垂直壁６ａと、その上端からドアパネル１と背反する方向に水平に突出した頂壁６ｂとを有している。この頂壁６ｂには上下方向に貫通するネジ穴（図示せず）が設けられている。
【００１５】
ブラケット６の頂壁６ｂにはガイドシュー８が一対のネジ９により締結固定されている。このガイドシュー８は、シル溝４に収容されるとともにシル溝４の長手方向に摺動可能な摺動部１０（図３参照）及びこの摺動部１０を吊り下げ支持するガイドシュー本体１１を有している。
【００１６】
ガイドシュー本体１１は、正面視Ｔ字形の垂直壁１１ａ（図４参照）と、その上端からドアパネル１に向けて水平に突出した頂壁１１ｂとを有しており、この頂壁１１ｂにはシル溝４の側面４ａと直交する方向に延び、ネジ９の軸部が摺動可能に係合する一対の長穴１４が設けられている。
【００１７】
ガイドシュー本体１１は、その頂壁１１ｂをブラケット６の頂壁６ｂの上面に載せた状態で（図５参照）、ネジ９の軸部を頂壁１１ｂの長穴１４に貫通させてブラケット６のネジ穴に締め付けることによりブラケット６上に締結固定される。
【００１８】
このネジ９を緩めることで、ガイドシュー本体１１を図２の矢印方向に移動させることができるので、ガイドシュー８の摺動部１０をシル溝４の側面４ａに対して接近及び離間させることができ、側面４ａと摺動部１０の間の隙間の大きさを調節することができる。
【００１９】
したがって、ドアパネル１が歪んでいる場合でも、ドアパネル１に対する摺動部１０の位置を適宜調節することで、エレベータへの据え付け時にガイドシュー８の摺動部１０をシル溝４内に容易に挿入することができる。また、ドアパネル１の開閉時に摺動部１０とシル溝４の間に生じる摺動抵抗が低減するため、ドアパネル１をスムーズに開閉することができる。
【００２０】
なお、ガイドシュー本体１１をブラケット６に対して一つのネジ９で回転可能に固定するようにしてもよい。この場合、ネジ９を緩めることで、ガイドシュー本体１１をネジ９の中心軸Ａ．Ｘ（図２参照）のまわりに回動させることができるので、ガイドシュー８の摺動部１０をシル溝４の側面４ａに対して接近及び離間させることができ、側面４ａと摺動部１０の間の隙間の大きさを調節することができる。
【００２１】
また、シル溝４の幅が摺動部１０の幅よりもかなり大きい場合には、図６（ａ）あるいは図６（ｂ）に示すように、摺動部１０をシル溝４に対して傾斜させると、摺動部１０の両端がシル溝４の側面４ａに接近して側面４ａと摺動部１０の間の隙間が小さくなるので、ドアパネル１が移動する際のがたつきが小さくなる。
【００２２】
次に、本発明の第２の実施形態を説明する。図７は本発明の第２の実施形態のドア装置の要部側面図である。なお、以下の各実施形態において、第１の実施形態と同一又は類似の部分には同一の符号を使用し、重複する説明は省略してある。
【００２３】
本実施形態では、ドアパネルの一方の面にスタッド１２が立設され、その外周部にはネジ山が形成されている。そして、ガイドシュー本体１１には、スタッド１２を摺動可能に貫通させる貫通穴（図示せず）が形成されており、ガイドシュー本体１１はスタッド１２上に軸方向に移動可能に支持されている。そして、スタッド１２には、ガイドシュー本体１１を挟み込むように一対のナット１３が螺着されている。
【００２４】
このような構成によれば、各ナット１３を回転させることで、ガイドシュー８をスタッド１２の軸方向に移動させることができるので、ガイドシュー８の摺動部１０をシル溝４の側面４ａに対して接近及び離間させることができ、側面４ａと摺動部１０の間の隙間の大きさを調節することができる。
【００２５】
したがって、ドアパネル１が歪んでいる場合でも、ドアパネル１に対する摺動部１０の位置を適宜調整することで、エレベータへの据え付け時にガイドシュー８の摺動部１０をシル溝４内に容易に挿入することができる。また、ドアパネル１の開閉時に摺動部１０とシル溝４の間に生じる摺動抵抗が低減するため、ドアパネル１をスムーズに開閉することができる。
【００２６】
次に、本発明の第３の実施形態を説明する。図８は本発明の第３の実施形態のドア装置の要部側面図である。
【００２７】
本実施形態では、ガイドシュー本体１１の頂壁１１ｂが垂直壁１１ａの上端からドアパネル１と背反する方向に向けて水平に突出しており、この頂壁１１ｂにはシル溝４の側面４ａと直交する方向に延びる長穴１４が設けられている。
【００２８】
この長穴１４には、下方からネジ１５の軸部が貫通し、ガイドシュー本体１１をドアパネル１の一方の面に設けた支持部１ａに締結固定している。このネジ１５の軸部は長穴１４に対して長手方向に摺動可能に係合している。
【００２９】
このような構成によれば、ネジ１５を緩めることで、ガイドシュー８をドアパネル１に対してシル溝４の側面４ａと直交する方向に移動させることができるので、シル溝４の側面４ａと摺動部１０の間の隙間の大きさを調節することができる。
【００３０】
したがって、ドアパネル１が歪んでいる場合でも、ドアパネル１に対する摺動部１０の位置を適宜調整することで、エレベータへの据え付け時にガイドシュー８の摺動部１０をシル溝４内に容易に挿入することができる。また、ドアパネル１の開閉時に摺動部１０とシル溝４の間に生じる摺動抵抗が低減するため、ドアパネル１をスムーズに開閉することができる。
【００３１】
次に、本発明の第４の実施形態を説明する。図９は本発明の第４の実施形態のドア装置の要部側面図である。
【００３２】
本実施形態では、ドアパネルの一方の面にスタッド１６が立設され、その外周部にはネジ山が形成されている。ガイドシュー本体１１には、スタッド１６を摺動可能に貫通させる貫通穴（図示せず）が形成されており、ガイドシュー本体１１はスタッド１６上に軸方向に移動可能に支持されている。
【００３３】
そして、スタッド１６の外周部には、ガイドシュー本体１１を挟み込むように一対のコイル状の圧縮バネ１７が遊嵌されており、スタッド１６の先端には圧縮バネ１７よりも大径のナット１８が螺着されている。
【００３４】
ナット１８をガイドシュー本体１１に接近するように回転させると、ナット１８に接している圧縮バネ１７が圧縮されてガイドシュー本体１１がドアパネル１の方向に押圧され、ドアパネル１に接している圧縮バネ１７が圧縮されてガイドシュー本体１１がドアパネル１の方向に移動する。
【００３５】
また、ナット１８をガイドシュー本体１１から離れるように回転させると、ナット１８に接している圧縮バネ１７が伸長し、ガイドシュー本体１１がドアパネル１に接している圧縮バネ１７により押圧されてドアパネル１と背反する方向に移動する。
【００３６】
このような構成によれば、ナット１８を回転させることで、ガイドシュー８の摺動部１０をシル溝４の側面４ａに対して接近及び離間させることができるので、シル溝４の側面４ａと摺動部１０の間の隙間の大きさを調節することができる。
【００３７】
したがって、ドアパネル１が歪んでいる場合でも、ドアパネル１に対する摺動部１０の位置を適宜調整することで、エレベータへの据え付け時にガイドシュー８の摺動部１０をシル溝４内に容易に挿入することができる。また、ドアパネル１の開閉時に摺動部１０とシル溝４の間に生じる摺動抵抗が低減するため、ドアパネル１をスムーズに開閉することができる。
【００３８】
次に、本発明の第５の実施形態を説明する。図１０は本発明の第５の実施形態のドア装置の要部斜視図である。
【００３９】
本実施形態では、第１乃至第４の実施形態のいずれかの場合において、ガイドシュー８の摺動部１０をガイドシュー本体１１に対してベアリング１９を介して取り付け、垂直方向に延びる軸線まわりに回転可能とした構成としている。
【００４０】
このような構成によれば、ドアパネル１の開閉時に摺動部１０がシル溝４の側面４ａ（図３参照）に接して回転するので、摺動部１０とシル溝４の間に生じる摺動抵抗が低減し、ドアパネル１をスムーズに開閉することができる。
【００４１】
次に、本発明の第６の実施形態を説明する。図１１は本発明の第６の実施形態のドア装置の要部平面図である。
【００４２】
本実施形態では、第１乃至第４の実施形態のいずれかの場合において、摺動部１０の側面に複数個のベアリング２０を取り付けた構成としている。これらのベアリング２０は、シル溝４の側面４ａに接しており、ドアパネル１の開閉に伴って回転するようになっている。
【００４３】
このような構成によれば、摺動部１０とシル溝４の間に生じる摺動抵抗が低減し、ドアパネル１をスムーズに開閉することができる。
【００４４】
次に、本発明の第７の実施形態を説明する。図１２は本発明の第７の実施形態のドア装置の要部平面図である。
【００４５】
本実施形態では、第１乃至第４の実施形態のいずれかの場合において、摺動部１０が、シル溝４の長手方向に延びる台座２１と、その両端に垂直方向に延びる軸線まわりに回転可能に取り付けられた一対のローラ２２とから成っており、各ローラ２２の外周部に複数個のベアリング２０を取り付けた構成としている。各ベアリング２０はローラ２２の回転に伴ってシル溝４の側面４ａに接するように設けられ、ドアパネル１の開閉に伴って回転するようになっている。
【００４６】
このような構成によれば、摺動部１０とシル溝４の間に生じる摺動抵抗が低減し、ドアパネル１をスムーズに開閉することができる。
【００４７】
なお、本発明は上記の各実施形態に限定されるものではなく、本発明の要旨を逸脱しない範囲で上記実施形態に種々の改変を施すことができる。
【図面の簡単な説明】
【００４８】
【図１】本発明の第１の実施形態のドア装置の斜視図である。
【図２】図１のドア装置の要部側面図である。
【図３】図２のＡ−Ａ線断面図である。
【図４】図１のドア装置のガイドシューの正面図である。
【図５】図１のドア装置の要部平面図である。
【図６】第１の実施形態の作用の説明図である。
【図７】本発明の第２の実施形態のドア装置の要部側面図である。
【図８】本発明の第３の実施形態のドア装置の要部側面図である。
【図９】本発明の第４の実施形態のドア装置の要部側面図である。
【図１０】本発明の第５の実施形態のドア装置の要部斜視図である。
【図１１】本発明の第６の実施形態のドア装置の要部平面図である。
【図１２】本発明の第７の実施形態のドア装置の要部平面図である。
【図１３】従来のエレベータのドア装置の要部側面図である。
【図１４】図１３のＢ−Ｂ線断面図である。
【符号の説明】
【００４９】
１  ドアパネル
２  出入口
３  シル
４  シル溝
６  ブラケット（支持部材、取付手段）
８  ガイドシュー
９  ネジ（締結部材、取付手段）
１０  摺動部
１１  ガイドシュー本体
１２  スタッド（取付手段）
１３  ナット（取付手段）
１４  長穴（取付手段）
１５  ネジ（締結部材、取付手段）
１６  スタッド（取付手段）
１７  圧縮バネ（取付手段）
１８  ナット（取付手段）
２０  ベアリング
２１  台座
２２  ローラ
【図１】
2006131314.tif 000003
【図２】
2006131314.tif 000004
【図３】
2006131314.tif 000005
【図４】
2006131314.tif 000006
【図５】
2006131314.tif 000007
【図６】
2006131314.tif 000008
【図７】
2006131314.tif 000009
【図８】
2006131314.tif 000010
【図９】
2006131314.tif 000011
【図１０】
2006131314.tif 000012
【図１１】
2006131314.tif 000013
【図１２】
2006131314.tif 000014
【図１３】
2006131314.tif 000015
【図１４】
2006131314.tif 000016